(57)【特許請求の範囲】
【請求項１】
一枚のブランクをサック貼りし、それを組み立てて形成される紙箱であって、縦折線を介して連設された後板、側板、前板、側板、貼着片により胴部が構成され、後板には胴部の上端からほぼ側板の幅に相当する距離の位置に横折線が形成され、側板、前板、側板にまたがるジッパー部が、側板、前板、側板での上端線が後板の横折線と同じ位置になるように、前板での下端線が上端線からほぼ側板の幅に相当する距離の位置となるように、前板の下端中央にて上向きに突き出た形状の凸部を残すように、側板ではほぼ三角形状、前板では矩形状に、全体としてほぼ台形状に一連に切除可能なように設けられ、ジッパー部は一方の側板の端から破断して取り除くようになっているとともに、前板の上端角部にはジッパー部を取り除いて開封した時に形成される凸部が挿入可能な幅のスリットが形成されていることを特徴とする紙箱。
【発明の詳細な説明】
【０００１】
【発明の属する技術分野】
本発明は、スナック菓子やその他の菓子類を収納するための紙箱に係り、詳しくは、サック貼り形式の貼り箱であって、再閉鎖できる蓋を有する紙箱に関するものである。
【０００２】
【従来の技術】
従来、この種の紙箱としては、前板から側板にかけて設けたジッパー部を取り去って開封し、天板、側板、貼着片及びフラップにより構成される部分を蓋としてかぶせるようにしたものが知られている。（例えば、実公昭５５−３３８５５号公報参照）。この紙箱では、ジッパー部を除去した後に前板より舌片状に突出するストッパーを設けてあり、前方に折ったストッパーの縁と蓋を構成するフラップの辺が開閉にあたり当接して係合する形状に設けられているため、係止効果を生ずるようになっている。
【０００３】
【発明が解決しようとする課題】
上記した従来の紙箱は、サック貼り形式であり、加工が簡単で特殊の工程を要しないという利点はあるものの、ジッパー部を取り去って開封した後、再閉鎖する場合にストッパーを前方に折り曲げる必要があるので、再封操作が煩雑であるという欠点を有している。
【０００４】
本発明は、上記のような問題点に鑑みてなされたものであり、その目的とするところは、通常のサック貼りの箱と同様に製造でき、開封が簡単であるばかりか、再封操作をも簡単に行えるようにした紙箱を提供することにある。
【０００５】
【課題を解決するための手段】
上記の問題点を解決するために、本発明の紙箱は、一枚のブランクをサック貼りし、それを組み立てて形成される紙箱であって、縦折線を介して連設された後板、側板、前板、側板、貼着片により胴部が構成され、後板には胴部の上端からほぼ側板の幅に相当する距離の位置に横折線が形成され、側板、前板、側板にまたがるジッパー部が、側板、前板、側板での上端線が後板の横折線と同じ位置になるように、前板での下端線が上端線からほぼ側板の幅に相当する距離の位置となるように、前板の下端中央にて上向きに突き出た形状の凸部を残すように、側板ではほぼ三角形状、前板では矩形状に、全体としてほぼ台形状に一連に切除可能なように設けられ、ジッパー部は一方の側板の端から破断して取り除くようになっているとともに、前板の上端角部にはジッパー部を取り除いて開封した時に形成される凸部が挿入可能な幅のスリットが形成されていることを特徴とする。
【０００６】
【発明の実施の形態】
次に、図面を参照して本発明の実施の形態を説明する。
【０００７】
図１は本発明に係る紙箱を示す斜視図であり、この紙箱Ｃは図２にその展開図を示すブランクを組み立てて形成されている。
【０００８】
図２に示すブランクでは、胴部を構成する後板１０、側板２０、前板３０、側板４０、貼着片５０が縦方向の折線を介して連設されており、後板１０、側板２０、前板３０、側板４０の上辺と下辺には、それぞれに上方のフラップ１１，２１，３１，４１と下方のフラップ１２，２２，３２，４２が横方向の折線を介して連設されている。
【０００９】
そして、後板１０には、上端からほぼ側板の幅に相当する距離の位置に横折線ａが形成されており、側板２０、前板３０、側板４０には、これらにまたがるジッパー部２３，３３，４３が設けられている。このジッパー部２３，３３，４３は、上端線ｂ，ｃ，ｄが後板１０の横折線ａと同じ位置になるように、下端線ｅ，ｆ，ｇのうち両側の下端線ｅ，ｇが斜め方向で、前板３０での下端線ｆが上端線ｃからほぼ側板の幅に相当する距離の位置となるように、前板３０の下端中央にて上向きに突き出た形状の凸部３４を残すように、側板２０，４０ではほぼ三角形状、前板３０では矩形状に、全体としてほぼ台形状に一連に切除可能なように設けられている。さらに、前板３０の上端角部に凸部３４が挿入可能な幅のスリット３５が形成されている。
【００１０】
なお、図２に示すブランクでは、後板１０の横折線ａを途中に切込を有した押罫で形成し、この部分を折り曲げやすくしている。また、ジッパー部２３，３３，４３の上端線ｂ，ｃ，ｄと下端線ｅ，ｆ，ｇのうち、前板３０での上端線ｃをミシン目で形成し、それ以外はＹ字状の切込が連続するパターンで形成している。そして、貼着片５０において後板１０の横折線ａと重なる部分には切込線ｈを設けてあり、後板１０の折曲げの邪魔にならないようにしてある。なお、後板１０における上方のフラップ１１と下方のフラップ１２にはハーフカット１１ａ，１２ａを施し、製函時の糊による接着強度を上げるようにしている。
【００１１】
上記のブランクを組み立てるに際しては、まず、後板１０と側板２０の間、表板３０と側板４０間で折って折り畳み、後板１０の裏側に貼着片５０の表側を糊付けしてサック貼りする。通常はこの状態で箱詰め工程に送られ、そこで、製函すると同時に内容物を収納する。その際、サック貼りされたブランクを起こし、上部ではフラップ２１，４１、フラップ１１，３１の順に折り込んで貼着して天部を形成し、下部ではフラップ２２，４２、フラップ１２，３２の順に折り込んで貼着して底部を形成する。この場合、いずれか一方を閉鎖した時点で内容物を入れ、残った方を閉鎖する。
【００１２】
このようにして形成された紙箱Ｃは、側板４０の左端からジッパー部４３，３３，２３を破断して取り除くことで容易に開封することができる。そして、開封した紙箱Ｃを再封するには、ジッパー部２３，３３，４３から上の部分と後板１０の横折線ａから上の部分とで構成される部分を蓋とし、この蓋の部分を後板１０の横折線ａのところで前方に折り曲げるようにする。すると、蓋の部分は開封されたところに入り込み、開封時に形成された凸部３４に前板３０の上部付近が当接するので、さらに軽く折り曲げ方向に押すことにより、図３に示すように、凸部３４が前板３０の上端角部のスリット３５に嵌まり込んで係止した状態となる。この場合、紙箱Ｃの高さは側板の幅に相当する分だけ短くなる。再度開けるには、蓋の部分を上方後側に回動させて凸部３４とスリット３５の係合を解けばよい。
【００１３】
【発明の効果】
以上説明したように、本発明の紙箱は、一枚のブランクをサック貼りし、それを組み立てて形成される紙箱であって、縦折線を介して連設された後板、側板、前板、側板、貼着片により胴部が構成され、後板には胴部の上端からほぼ側板の幅に相当する距離の位置に横折線が形成され、側板、前板、側板にまたがるジッパー部が、側板、前板、側板での上端線が後板の横折線と同じ位置になるように、前板での下端線が上端線からほぼ側板の幅に相当する距離の位置となるように、前板の下端中央にて上向きに突き出た形状の凸部を残すように、側板ではほぼ三角形状、前板では矩形状に、全体としてほぼ台形状に一連に切除可能なように設けられ、ジッパー部は一方の側板の端から破断して取り除くようになっているとともに、前板の上端角部にはジッパー部を取り除いて開封した時に形成される凸部が挿入可能な幅のスリットが形成されている構成としたので、ジッパー部を取り除くだけで簡単に開封することができ、開封した時に形成される凸部に、蓋の部分に形成されているスリットを差し込んで係止するだけで簡単に再封することができる。
【図面の簡単な説明】
【図１】本発明に係る紙箱を示す斜視図である。
【図２】図１に示す紙箱を形成するためのブランクの展開図である。
【図３】図１に示す紙箱を一旦開封して再封した状態で示す斜視図である。
【符号の説明】
１０  後板
１１，１２  フラップ
１１ａ，１２ａ  ハーフカット
２０  側板
２１，２２  フラップ
２３  ジッパー部
３０  前板
３１，３２  フラップ
３３  ジッパー部
３４  凸部
３５  スリット
４０  側板
４１，４２  フラップ
４３  ジッパー部
５０  貼着片
ａ  横折線
ｂ，ｃ，ｄ  上端線
ｅ，ｆ，ｇ  下端線
ｈ  切込線
【図１】
0004530188.tif 000002
【図２】
0004530188.tif 000003
【図３】
0004530188.tif 000004